(57)【要約】【課題】開閉操作性を低下させずに、薄型で取手部を設けないというデザイン上の要請を満足させる。【解決手段】複写機１１は、自動原稿搬送装置１８として原稿束から原稿を１枚ずつ搬送する原稿搬送部８１と、原稿をコンタクトガラス３５に押しつける圧板部８２とを備えている。原稿搬送部８１の手前側の端面は上端より下端が奥側に位置する傾斜部８１ａが形成されている他、圧板部８２の手前側の端面に奥側に向け彎曲している断面形状を形成した凹溝部８２aが形成されている。【選択図】図４
2010249968.tif 000002
【特許請求の範囲】
【請求項１】
画像読取部に開閉動可能に配置される自動原稿搬送装置において、
操作者に向く手前側の端面の少なくとも一部に上端が下端より手前側になるよう傾斜した傾斜部を形成したことを特徴とする自動原稿搬送装置。
【請求項２】
原稿をコンタクトガラスに押圧する圧板部と、この圧板部の上側に配置され、原稿を１枚ずつ搬送する原稿搬送部とを備え、前記傾斜部は原稿搬送部に形成されていることを特徴とする請求項１に記載の自動原稿搬送装置。
【請求項３】
前記圧板部の手前側面の少なくとも一部には奥側に向け彎曲している断面形状の凹部が形成されていることを特徴とする請求項１又は請求項２に記載の自動原稿搬送装置。
【請求項４】
前記原稿搬送部は、前記圧板部に着脱可能に取り付けられていることを特徴とする請求項２又は請求項３に記載の自動原稿搬送装置。
【請求項５】
請求項１乃至請求項４のいずれかに記載の自動原稿搬送装置を備えることを特徴とする画像形成装置。
【発明の詳細な説明】
【技術分野】
【０００１】
本発明は自動原稿搬送装置及び画像形成装置に係り、特に画像読取部に開閉動可能に配置される自動原稿搬送装置及びこの自動原稿搬送装置を備える画像形成装置に関する。
【背景技術】
【０００２】
画像形成装置として、自動原稿搬送装置（ＡＤＦ）を備えたものがある。自動原稿搬送装置１０１は、図６に示すように、画像形成装置の装置本体１０３にヒンジ機構１０２を介して操作者側（手前側）で開閉自在に配置される。図示した例では自動原稿搬送装置１０１は、装置本体１０３に配置されたコンタクトガラス１０４に原稿を押しつける圧板部１０５と、複数の原稿からなる原稿束から原稿を１枚ずつ搬送する搬送部１０６とを備えている。そしてこのような自動原稿搬送装置１０１には、開閉操作用の取手部１０７が装備され，使用者はこの取手部１０７を利用して自動原稿搬送装置１０１の開閉を行う。特許文献１には、取手部を装備して開閉できる自動原稿搬送装置を備えた画像形成装置について記載がある
【発明の概要】
【発明が解決しようとする課題】
【０００３】
ところで近年、上述した自動原稿搬送装置は薄型化が進み、薄型化した自動原稿搬送装置に取手部を配置するとデザイン上好ましくないという問題がある。しかし自動原稿搬送装置に開閉用の取手部を装備しないと、自動原稿搬送装置の開閉操作性が低下するという問題が生じる。そこで、本発明は開閉操作性を低下させずに、薄型で取手部を設けないというデザイン上の要請を満足することができる自動原稿搬送装置及びこの自動原稿搬送装置を備えた画像形成装置を提供することを目的とする。
【課題を解決するための手段】
【０００４】
請求項１の発明は、画像読取部に開閉動可能に配置される自動原稿搬送装置において、操作者に向く手前側の端面の少なくとも一部に上端より下端が奥側に位置する前傾斜部を形成したことを特徴とする自動原稿搬送装置である。
【０００５】
請求項２の発明は、請求項１に記載の自動原稿搬送装置において、原稿をコンタクトガラスに押圧する圧板部と、この圧板部の上側に配置され、原稿を１枚ずつ搬送する原稿搬送部とを備え、前記傾斜部は原稿搬送部に形成されていることを特徴とする。
【０００６】
請求項３の発明は、請求項１又は請求項２に記載の自動原稿搬送装置において、前記圧板部の手前側面の少なくとも一部には奥側に向け彎曲している断面形状を備える凹部が形成されていることを特徴とする。
【０００７】
請求項４の発明は、請求項２又は請求項３に記載の自動原稿搬送装置において、前記原稿搬送部は、前記圧板部に着脱可能に取り付けられていることを特徴とする。
【０００８】
請求項５の発明は、請求項１乃至請求項４のいずれかに記載の自動原稿搬送装置を備えることを特徴とする画像形成装置である。
【発明の効果】
【０００９】
本発明に係る自動原稿搬送装置及び画像形成装置によれば、操作者に向く手前側の端面の少なくとも一部に上端より下端が奥側に位置する前傾斜部を形成したので、自動原稿搬送装置を薄型として開閉用の取手部を配置しなくても、前傾斜部に手指を掛けることによって自動原稿搬送装置を開閉操作することができる。
【図面の簡単な説明】
【００１０】
【図１】実施例が適用される画像形成装置の内部構成を示す断面図である
【図２】画像形成装置を示す斜視図である。
【図３】画像形成装置を示す他の方向からの斜視図である。
【図４】画像形成装置の側面図である。
【図５】自動原稿搬送装置の開閉状態を示す模式図である。
【図６】従来の自動原稿搬送装置を示す斜視図である。
【発明を実施するための形態】
【００１１】
本発明に係る画像形成装置は、画像読取部に開閉動可能に配置される自動原稿搬送装置を備える。この自動原稿搬送装置は、操作者に向く手前側の端面の少なくとも一部に上端より下端が奥側に位置する前傾斜部を形成している。また、自動原稿搬送装置は、原稿をコンタクトガラスに押圧する圧板部と、この圧板部の上側に配置され、原稿を１枚ずつ搬送する原稿搬送部とを備え、前記傾斜部は原稿搬送部に形成され、前記圧板部の手前側面の少なくとも一部には奥側に向け彎曲している断面形状を備える凹部が形成されている。そして、原稿搬送部は、前記圧板部に着脱可能に取り付けられている。
【実施例】
【００１２】
以下実施例に係る画像形成装置について説明する。まず画像形成装置の内部構成を説明する。図１は実施例が適用される画像形成装置の内部構成を示す断面図、図２は自動原稿読取装置の取り付け状態示す斜視図である。
【００１３】
本発明が適用される画像形成装置である複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読み取る画像読取手段１６と、画像読取手段１６を収容する第２の装置本体１７と、原稿を一枚ずつ読取部に搬送する自動原稿搬送装置（ＡＤＦ）１８とを備えている。自動原稿搬送装置１８は、従来例として示したものと同様に、第２の装置本体１７にヒンジ機構を介して開閉自在に搭載されている。また、この例では第２の装置本体１７と自動原稿搬送装置１８とで画像読取部を構成している。
【００１４】
自動原稿搬送装置１８は、原稿束から原稿を一枚ずつ搬送する機構を格納した原稿搬送部８１と、コンタクトガラス３５上に配置された原稿を覆いコンタクトガラスに圧接させる圧板部８２とを備えている。
【００１５】
自動原稿搬送装置１８は、原稿束から原稿を一枚ずつ搬送する機構を格納した原稿搬送部８１と、後述するコンタクトガラス３５上に配置された原稿を覆いコンタクトガラスに圧接させる圧板部８２とを備えている。自動原稿搬送装置１８の原稿搬送部８１には、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読み取りが終了した原稿を原稿排紙台２６に排紙する搬送ローラ対２７及び排紙ローラ対２８からなる原稿排紙手段２９とが配置されている。
【００１６】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排紙台２６に排紙されるようになっている。また、切換爪３０が第２の切換位置に切換えられると、駆動ローラ２８ａ及び従動ローラ２８ｃによって原稿がスイッチバック通路３１に搬送されるようになっている。
【００１７】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００１８】
また、画像読取手段１６は、それ自体周知のように、光学系３４を収容した第２の装置本体１７と、第２の装置本体１７の上部に固定配置されたコンタクトガラス３５及びスリットガラス３６とを備えている。この画像読取手段１６にあっては、閉じられた原稿や本等からなる原稿をコンタクトガラス３５上に原稿を載置して、その原稿を自動原稿搬送装置１８によって押圧することにより、原稿を読取ることができる。また、自動原稿搬送装置１８によって自動搬送される原稿はスリットガラス３６の読取位置で読取られるようになっている。即ち、画像読取手段としての光学系３４は、光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００１９】
自動原稿搬送装置１８によって原稿を読取る場合には、図１中、右方に示す位置に第１走行体３９及び第２走行体４２を固定した状態で上述した手順で走行する原稿を読取る。
【００２０】
画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００２１】
光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００２２】
一次転写ローラ５０には、転写電圧が印加されることによって、第１像担持体４５Ｙ上に形成されたトナー像が図１中、矢印Ａ方向に回転する中間転写ベルト４６上に一次転写される。トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００２３】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００２４】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５及び廃トナー容器にはトナーが収容されている。
【００２５】
上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００２６】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００２７】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００２８】
記録媒体搬送装置１４は中間転写ベルト４６の下方に配置されており、この記録媒体搬送装置１４は、記録紙等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００２９】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体Ｓ上にトナー像が形成されるのである。
【００３０】
そして、トナー像が形成された記録媒体Ｓは定着装置１３を通過し、このとき画像形成手段１２によって形成された記録媒体Ｓ上のトナー像がその記録媒体Ｓに定着される。また、定着装置１３によって画像が定着された記録媒体Ｓは排紙ローラ対６０によって排紙空間部６１内上に排紙される。
【００３１】
この排紙空間部６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。尚、排紙空間部６１には必要に応じてビン排紙トレイ９２が配置される（図３、４参照）。また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００３２】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００３３】
この反転通路６３には反転ローラ対６４が設けられており、この反転ローラ対６４によって反転通路６３を搬送される記録媒体は、二次転写ローラ５６側に搬送される。
一方、スリットガラス３６上には反射ガイド板６５が設けられており、この反射ガイド板６５は光源３７からの光を反射するようになっている。
【００３４】
また、コンタクトガラス３５とスリットガラス３６の間には図３に示すようなガイド部材７１が設けられており、このガイド部材７１は、スリットガラス３６を通過した原稿を掬い上げて搬送ローラ対２７に向かって案内するようになっている。
【００３５】
次に本実施例に係る画像形成装置の特徴について説明する。図２は実施例に係る画像形成装置を示す斜視図、図３は画像形成装置を示す他の方向からの斜視図、図４は画像形成装置の側面図、図５は自動原稿搬送装置の開閉状態を示す模式図。
【００３６】
複写機１１は上述したように第１の装置本体１５と原稿読取装置である第２の装置本体１７との間に排紙空間部６１を形成している。本例では、第１の装置本体１５には液晶タッチパネルで構成される操作パネル９１が配置角度可変に取り付けられている。また、排紙空間部６１内にはビン排紙トレイ９２が配置される。このビン排紙トレイ９２には排紙された記録媒体の取り出しを容易にするため、切欠部９３が形成されている。
【００３７】
そして、前記原稿搬送部８１の手前側の端面は、上端部が下端部より手前側に位置する傾斜部８１ａとして形成されている。この傾斜部８１ａは、図４に示すように、垂直面に対して角θだけ前傾している。また、圧板部８２の手前側の端面は、上端部と下端部の間に位置する中央部が奥側に向け彎曲した断面形状を備える凹部としての凹溝部８２aが形成されている。
【００３８】
本実施例によれば、図５に２点鎖線で示すように、自動原稿搬送装置１８全体を第２の装置本体１７に対して回動させるに際して、操作者は原稿搬送部８１の傾斜部８１ａ又は圧板部８２の凹溝部８２aに手指を掛け、自動原稿搬送装置１８全体を回動させることができる。
【００３９】
以上のように、本実施例によれば、薄型化を図った自動原稿搬送装置１８であり、取手部を設けていないものであっても、自動原稿搬送装置１８の回動操作を容易に行うことができる。また、本例によれば、原稿搬送部８１の手前側の面を傾斜部８１ａとしているので、図５に示すように、使用者Ｅからの見かけの厚さ寸法ｔ１が、手前側の面が傾斜していない場合の見かけの厚さ寸法ｔ２より小さいものとなり、自動原稿搬送装置１８全体や、原稿搬送部８１がより薄いものと視認されデザイン上良好なものとなる。
【００４０】
更に、用紙詰まり解消やメンテナンスのため、原稿搬送部８１を圧板部８２に対して回動させることができるように構成した装置にあっては、図５に破線で示すように、圧板部８２を第２の装置本体１７に配置したまま、原稿搬送部８１の傾斜部８１ａに手指を掛け、原稿搬送部８１を回動させることができる。
【００４１】
尚、上記例では前記傾斜部８１ａは掛け原稿搬送部８１の手前側面の全面に設けるようにしたが、これは手前側面の一部に設けるようにしてもよい。同様に、凹溝部８２aは圧板部８２の手前側面の一部に設けるようにしてもよい。
【符号の説明】
【００４２】
１１：複写機
１２：画像形成手段
１３：定着装置
１４：記録媒体搬送装置
１５：第１の装置本体
１６：画像読取手段
１７：第２の装置本体
１８：自動原稿搬送装置（ＡＤＦ）
２０：原稿載置台
２１：ピックアップローラ
２２：給紙ベルト
２３：リバースローラ
２４：搬送ローラ対
２５：原稿搬送手段
２６：原稿排紙台
２７：搬送ローラ対
２８：排紙ローラ対
２８ａ：駆動ローラ
２８ｂ：従動ローラ
２８ｃ：従動ローラ
２９：原稿排紙手段
３０：切換爪
３１：スイッチバック通路
３２：スイッチバックローラ対
３４：光学系
３５：コンタクトガラス
３６：スリットガラス
３７：光源
３８：第１ミラー
３９：第１走行体
４０：第２ミラー
４１：第３ミラー
４２：第２走行体
４３：結像レンズ
４４：ＣＣＤイメージセンサ
４５Ｙ〜４５ＢＫ：第１〜第４像担持体
４６：中間転写ベルト
４７：帯電ローラ
４８：ユニット
４９：現像装置
５０：一次転写ローラ
５２：クリーニング装置
５３：現像容器
５４Ｃ、５４Ｍ、５４ＢＫ：トナーボトル
５４Ｙ：トナーボトル
５５：クリーニング容器
５６：二次転写ローラ
５７：給紙カセット
５８：給紙ローラ
５９：レジストローラ対
６０：排紙ローラ対
６１：排紙空間部
６２：切換レバー
６３：反転通路
６４：反転ローラ対
６５：反射ガイド板
７１：ガイド部材
８１ａ：傾斜部
８１：原稿搬送部
８２a：凹溝部（凹部）
８２：圧板部
９１：操作パネル
９２：ビン排紙トレイ
９３：切欠部
【先行技術文献】
【特許文献】
【００４３】
【特許文献１】特開２００７−４７２６４公報
【図１】
2010249968.tif 000003
【図２】
2010249968.tif 000004
【図３】
2010249968.tif 000005
【図４】
2010249968.tif 000006
【図５】
2010249968.tif 000007
【図６】
2010249968.tif 000008